(57)【要約】【課題】線順次伝送される色差信号を同時化して復調するに際して、不足している色差信号を隣接ラインの色差信号の合成によって生成する際の混合比率を適切に調整する。【解決手段】比率算出部１５５５は、Ｃ（ｎ＋１）及びＣ（ｎ−１）の差分絶対値Ｄ１と閾値Ｔｈ１との比較によって、Ｃ（ｎ＋１）とＣ（ｎ−１）の類似度を判定する。そして、当該類似度が所定の基準より小さいと判定される場合に、比率算出部１５５５は、Ｃ（ｎ＋２）及びＣ（ｎ）の差分絶対値Ｄ２に対するＣ（ｎ）及びＣ（ｎ−２）の差分絶対値Ｄ３の相対的な大きさに応じて、Ｃ（ｎ＋１）及びＣ（ｎ−１）の混合比率を規定するパラメータＭを生成する。【選択図】図３
2010034832.tif 000002
【特許請求の範囲】
【請求項１】
線順次伝送される２種の色差信号を含む映像信号Ｃ（ｎ＋２）を１乃至４水平期間遅延させた映像信号Ｃ（ｎ＋１）乃至Ｃ（ｎ−２）を生成する遅延部と、
前記映像信号Ｃ（ｎ＋１）とＣ（ｎ−１）の類似度を示す第１の相関値、前記映像信号Ｃ（ｎ＋２）とＣ（ｎ）の類似度を示す第２の相関値、及び前記映像信号Ｃ（ｎ）とＣ（ｎ−２）の類似度を示す第３の相関値を生成する相関値生成部と、
前記第１の相関値と予め定められた値との比較によって前記映像信号Ｃ（ｎ＋１）とＣ（ｎ−１）の類似度が所定の基準より小さいと判定される場合に、前記第２の相関値に対する前記第３の相関値の相対的な大きさに応じて、前記映像信号Ｃ（ｎ＋１）及びＣ（ｎ−１）の混合比率を生成する混合比率生成部と、
前記混合比率に基づいて前記映像信号Ｃ（ｎ＋１）及びＣ（ｎ−１）を混合する信号合成部と、
前記信号合成部の出力信号及び前記映像信号Ｃ（ｎ）を、同時化された前記２種の映像信号として出力する出力部と、
を備える映像信号処理装置。
【請求項２】
前記混合比率生成部は、前記映像信号Ｃ（ｎ＋１）とＣ（ｎ−１）の類似度が前記所定の基準より大きいと判定される場合に、前記第２及び前記第３の相関値に依拠せずに、前記混合比率を予め定められた値に決定する、請求項１に記載の色差信号処理装置。
【請求項３】
前記第２の相関値は、前記映像信号Ｃ（ｎ＋２）とＣ（ｎ）の差分絶対値Ｄ２であり、
前記第３の相関値は、前記映像信号Ｃ（ｎ）とＣ（ｎ−２）の差分絶対値Ｄ３であり、
前記信号合成部は、前記映像信号Ｃ（ｎ＋１）とＣ（ｎ−１）の類似度が前記所定の基準より小さいと判定される場合に、以下の計算式により前記映像信号Ｃ（ｎ＋１）及びＣ（ｎ−１）を混合する、請求項１又は２に記載の映像信号処理装置。
【数１】
2010034832.tif 000007
【請求項４】
線順次伝送される２種の色差信号を含む映像信号Ｃ（ｎ＋２）を１乃至４水平期間遅延させた映像信号Ｃ（ｎ＋１）乃至Ｃ（ｎ−２）を生成すること、
前記映像信号Ｃ（ｎ＋１）とＣ（ｎ−１）の類似度を示す第１の相関値、前記映像信号Ｃ（ｎ＋２）とＣ（ｎ）の類似度を示す第２の相関値、及び前記映像信号Ｃ（ｎ）とＣ（ｎ−２）の類似度を示す第３の相関値を生成すること、
前記第１の相関値と予め定められた値との比較によって前記映像信号Ｃ（ｎ＋１）とＣ（ｎ−１）の類似度が所定の基準より小さいと判定される場合に、前記第２の相関値に対する前記第３の相関値の相対的な大きさに応じて、前記映像信号Ｃ（ｎ＋１）及びＣ（ｎ−１）の混合比率を生成すること、
前記混合比率に基づいて前記映像信号Ｃ（ｎ＋１）及びＣ（ｎ−１）を混合すること、
前記信号合成部の出力信号及び前記映像信号Ｃ（ｎ）を、同時化された前記２種の映像信号として出力すること、
を含む映像信号の処理方法。
【請求項５】
前記映像信号Ｃ（ｎ＋１）とＣ（ｎ−１）の類似度が前記所定の基準より大きいと判定される場合に、前記第２及び前記第３の相関値に依拠せずに、前記混合比率を予め定められた値に決定すること、
をさらに含む請求項４に記載の処理方法。
【請求項６】
前記第２の相関値は、前記映像信号Ｃ（ｎ＋２）とＣ（ｎ）の差分絶対値Ｄ２であり、
前記第３の相関値は、前記映像信号Ｃ（ｎ）とＣ（ｎ−２）の差分絶対値Ｄ３であり、
前記映像信号Ｃ（ｎ＋１）とＣ（ｎ−１）の類似度が前記所定の基準より小さいと判定される場合に、以下の計算式により前記映像信号Ｃ（ｎ＋１）及びＣ（ｎ−１）を混合する、請求項４又は５に記載の処理方法。
【数２】
2010034832.tif 000008
【発明の詳細な説明】
【技術分野】
【０００１】
本発明は、色差信号の伝送に線順次式を採用しているＳＥＣＡＭ方式等の映像信号から色差信号を同時化して出力する映像信号処理装置に関する。
【背景技術】
【０００２】
テレビジョン方式の１つであるＳＥＣＡＭ方式は、２つの色差信号Ｃｒ及びＣｂを線順次式で伝送する。より具体的に述べると、ＳＥＣＡＭ方式では、それぞれ異なる周波数を有する２つの色副搬送波を使用する。これら２つの色副搬送波は、色差信号Ｃｒ及びＣｂのいずれかによって周波数変調される。以下では、２つの色副搬送波を色差信号Ｃｒ又はＣｂによって周波数変調して得られる２つの変調信号を搬送色差信号ＤＲ及びＤＢと呼ぶ。ＳＥＣＡＭ方式では、搬送色差信号ＤＲ及びＤＢが、１ライン毎に交互に伝送される。なお、ＳＥＣＡＭ方式はコンポジット方式であるから、搬送色差信号ＤＲ及びＤＢは、輝度信号Ｙ多重された後にコンポジット映像信号として伝送される。
【０００３】
ＳＥＣＡＭ方式のコンポジット映像信号（以下ＳＥＣＡＭ信号と呼ぶ）を受信して再生画像を生成するためには、２つの色差信号Ｃｒ及びＣｂの同時化が必要となる（例えば、特許文献１〜３を参照）。ここで、同時化とは、線順次伝送される色差信号を受信し、不足する一方の色差信号をライン毎に生成する処理である。最も原始的な同時化方法の１つは、１ライン前の色差信号によって着目ラインの不足している色差信号を補間する方法である。また、他の原始的な同時化方法には、上下に隣接する２ラインの色差信号の平均値によって、着目ラインの不足している色差信号を補間する方法がある。
【０００４】
上述した原始的な同時化方法では、色差信号の垂直解像度の低下が生じてしまう。このため改良された同時化方法として、色差信号の垂直方向の相関（垂直相関）の大きさに応じて上下ラインの色差信号の混合比を調節し、当該混合比で混合された色差信号によって着目ラインの不足する色差信号を補間する方法が知られている（特許文献１を参照）。
【０００５】
特許文献１は、線順次伝送される色差信号の同時化処理を行う映像信号処理装置について開示している。以下では、特許文献１の装置の動作について、図４を参照しながら説明する。図４は線順次伝送される色差信号を示している。以下では、同時化の対象ライン（着目ライン）を第ｎラインとする。図４の例では、Ｃｒ（ｎ）が第ｎラインで伝送されているため、同時化によって生成される補間色差信号はＣｂ（ｎ）である。
【０００６】
特許文献１の装置は、着目する第ｎラインの不足している色差信号Ｃｂ（ｎ）を、上下隣接ラインの色差信号Ｃｂ（ｎ＋１）及びＣｂ（ｎ−１）の混合によって生成する。このとき、特許文献１の装置は、線順次で伝送される色差信号のライン間での相関に基づいて、Ｃｂ（ｎ＋１）及びＣｂ（ｎ−１）の混合比率を変更する。
【０００７】
さらに、特許文献１の装置は、第ｎ−１ラインと第ｎラインの間（図４のＬ１）又は第ｎラインと第ｎ＋１ラインの間（図４のＬ２）のいずれで色調変化が生じているのかを判別するために、Ｃｂ（ｎ＋１）及びＣｂ（ｎ−１）の相関と、Ｃｒ（ｎ）及びＣｒ（ｎ−２）の相関を共に利用する。具体的には、Ｃｂ（ｎ＋１）及びＣｂ（ｎ−１）の相関が小さく、かつＣｒ（ｎ）及びＣｒ（ｎ−２）間の相関が小さい場合には、Ｃｂ（ｎ−１）の混合比率を相対的に小さくし、Ｃｂ（ｎ＋１）の混合比率を相対的に大きくする。この場合、第ｎ−１ラインと第ｎラインの間（図４のＬ１）に大きな色調変化が存在すると推定されるためである。一方、Ｃｂ（ｎ＋１）及びＣｂ（ｎ−１）間の相関が小さく、かつＣｒ（ｎ）及びＣｒ（ｎ−２）の相関が大きい場合には、Ｃｂ（ｎ−１）の混合比率を相対的に大きくし、Ｃｂ（ｎ＋１）の混合比率を相対的に小さくする。
【特許文献１】特公平６−８３４５８号公報
【特許文献２】特開２００６−１０８７７９号公報
【特許文献３】特開平６−５４３３８号公報
【特許文献４】特開２００２−５８０４３号公報
【発明の開示】
【発明が解決しようとする課題】
【０００８】
上述したように、特許文献１は、色差信号Ｃｂ（ｎ＋１）及びＣｂ（ｎ−１）の混合比率を決定するために、Ｃｂ（ｎ＋１）及びＣｂ（ｎ−１）の相関と、Ｃｒ（ｎ）及びＣｒ（ｎ−２）の相関を共に利用することを開示している。しかしながら、特許文献１は、混合比率を具体的にどのように決定するかについて開示していない。
【０００９】
また、特許文献１は、色差信号Ｃｂ（ｎ＋１）及びＣｂ（ｎ−１）の混合比率を決定するためにＣｒ（ｎ）及びＣｒ（ｎ−２）間の相関値を用いている。しかし仮に、ある基準を用いてＣｒ（ｎ−２）及びＣｒ（ｎ）間の相関が大きいと判断した場合であっても、実際はＣｒ（ｎ）及びＣｒ（ｎ＋２）間の相関の方が大きい場合もある。そのため、特許文献１の開示のみでは、Ｃｒ（ｎ−２）とＣｒ（ｎ）の相関の大小を判定するための基準を適切に設けることができず、Ｃｂ（ｎ＋１）及びＣｂ（ｎ−１）の混合比率を適切に調整することが困難であると考えられる。
【課題を解決するための手段】
【００１０】
本発明の第１の態様にかかる映像信号処理装置は、遅延部、相関値生成部、混合比率決定部、信号合成部、及び出力部を含む。前記遅延部は、線順次伝送される２種の色差信号を含む映像信号Ｃ（ｎ＋２）を１乃至４水平期間遅延させた映像信号Ｃ（ｎ＋１）乃至Ｃ（ｎ−２）を生成する。前記相関値生成部は、前記映像信号Ｃ（ｎ＋１）とＣ（ｎ−１）の類似度を示す第１の相関値、前記映像信号Ｃ（ｎ＋２）とＣ（ｎ）の類似度を示す第２の相関値、及び前記映像信号Ｃ（ｎ）とＣ（ｎ−２）の類似度を示す第３の相関値を生成する。前記混合比率生成部は、前記第１の相関値と予め定められた値との比較によって前記映像信号Ｃ（ｎ＋１）とＣ（ｎ−１）の類似度が所定の基準より小さいと判定される場合に、前記第２の相関値に対する前記第３の相関値の相対的な大きさに応じて、前記映像信号Ｃ（ｎ＋１）及びＣ（ｎ−１）の混合比率を生成する。前記信号合成部は、前記混合比率に基づいて前記映像信号Ｃ（ｎ＋１）及びＣ（ｎ−１）を混合する。最後に、前記出力部は、前記信号合成部の出力信号及び前記映像信号Ｃ（ｎ）を、同時化された前記２種の映像信号として出力する。
【００１１】
上述したように、本発明の第１の態様にかかる映像信号処理装置は、前記第２の相関値（前記映像信号Ｃ（ｎ＋２）とＣ（ｎ）の類似度を示す）に対する前記第３の相関値（前記映像信号Ｃ（ｎ）とＣ（ｎ−２）の類似度を示す）の相対的な大きさに応じて、前記映像信号Ｃ（ｎ＋１）及びＣ（ｎ−１）の混合比率を生成する。このため、映像信号Ｃ（ｎ＋１）及びＣ（ｎ−１）の相関が小さい場合に、これらの混合比率を適切に調節することができる。
【発明の効果】
【００１２】
本発明により、線順次伝送される色差信号を同時化して復調するに際して、不足している色差信号を隣接ラインの色差信号の合成によって生成する際の混合比率を適切に調整でき、色差信号の垂直解像度の低下を抑制することができる。
【発明を実施するための最良の形態】
【００１３】
以下では、本発明を適用した具体的な実施の形態について、図面を参照しながら詳細に説明する。各図面において、同一要素には同一の符号が付されており、説明の明確化のため、必要に応じて重複説明は省略される。
【００１４】
＜発明の実施の形態１＞
本実施の形態にかかる映像信号処理装置１は、ＳＥＣＡＭ方式のコンポジット映像信号ＣＶＢＳを入力し、輝度信号Ｙと２種類の色差信号Ｃｒ及びＣｂとを分離して出力する。図１は、本実施の形態にかかる映像信号処理装置１の構成を示すブロック図である。以下では、図１に示した各構成要素について説明する。
【００１５】
Ａ／Ｄ変換器１０は、アナログコンポジット映像信号ＣＶＢＳを所定のシステムクロックによりサンプリングする。同期処理部１１は、Ａ／Ｄ変換器１０によってサンプリングされたデータを入力し、垂直同期信号Ｖｓｙｎｃ及び水平同期信号Ｈｓｙｎｃを検出する。
【００１６】
Ｙ／Ｃ分離部１２は、輝度信号Ｙと搬送色信号ＤＲ及びＤＢを分離する。分離された輝度信号Ｙは、遅延回路１３によって所定の遅延を与えられた後に出力処理部１６に供給される。一方、搬送色信号ＤＲ及びＤＢは、色復調部１４に供給される。
【００１７】
色復調部１４は、搬送色信号ＤＲ及びＤＢから色差信号Ｃｒ及びＣｂを復調する。ただし、ＳＥＣＡＭ方式では、色差信号Ｃｒ及びＣｂは線順次でライン毎に交互に伝送される。このため、色復調部１４の出力する信号には、ライン毎にＣｒ及びＣｂが交互に含まれている。以下では、色復調部１４から出力される同時化処理前の色差信号を"線順次色差信号"と呼ぶ。
【００１８】
同時変換部１５は、ライン毎に不足している色差信号を隣接ラインの色差信号を用いて生成し、２種類の色差信号をライン毎に出力する。なお、同時変換部１５の構成と信号処理内容の詳細については後述する。
【００１９】
出力処理部１６は、輝度信号Ｙ、色差信号Ｃｒ及びＣｂを入力し、これらに対する視覚的な補正処理、サンプリングレート変換などの各種画像処理を実行する。
【００２０】
続いて以下では、同時変換部１５の構成と信号処理内容の詳細について説明する。同時変換部１５は、色復調部１４から入力される線順次色差信号を４水平期間遅延させ、合計５ラインの線順次色差信号を用いて同時化処理を行う。
【００２１】
図２は、同時変換部１５の構成例を示すブロック図である。図２において、遅延回路１５１〜１５４は、それぞれ1水平期間だけ入力信号を遅延させる。なお、説明の便宜のため、図２の同時変換部１５に入力される線順次色差信号を第（ｎ＋２）ライン目の色差信号Ｃｒ（ｎ＋２）とする。よって、遅延回路１５１〜１５４の出力は、それぞれＣｂ（ｎ＋１）、Ｃｒ（ｎ）、Ｃｂ（ｎ−１）、Ｃｒ（ｎ−２）となる。
【００２２】
混合比率決定部１５５は、５ラインの色差信号を入力し、後述する信号合成部１５６における色差信号Ｃｂ（ｎ＋１）及びＣｂ（ｎ−１）の混合比率を規定するパラメータＭを生成する。
【００２３】
信号合成部１５６は、混合比率決定部１５５にから供給されるパラメータＭに基づいて色差信号Ｃｂ（ｎ＋１）及びＣｂ（ｎ−１）を混合する。混合によって生成された色差信号は、第ｎラインにおいて不足している色差信号Ｃｂ（ｎ）の補間信号として選択部１５７に供給される。例えば、パラメータＭを第（ｎ−１）ライン目の色差信号Ｃｂ（ｎ−１）の混合比率を示す０以上１以下の値とした場合、信号合成部１５６は以下の（１）式に示す演算によって色差信号Ｃｂ（ｎ）を生成すればよい。
【数３】
2010034832.tif 000003
【００２４】
選択部１５７は、水平同期信号Ｈｓｙｎｃに基づいて同期処理部１１から出力されるタイミング信号に応じて動作し、色復調部１４から供給された第ｎラインの線順次色差信号Ｃｒ（ｂ）と、補間によって生成された第ｎラインの色差信号Ｃｂ（ｎ）を出力処理部１６に供給する。
【００２５】
続いて、混合比率決定部１５５の具体的な構成例と、パラメータＭの具体例について図３を参照しながら説明する。図３は、混合比率決定部１５５の構成例を示すブロック図である。
【００２６】
図３において、差分絶対値生成部１５５１は、色差信号Ｃｂ（ｎ＋１）及びＣｂ（ｎ−１）を入力し、これらの差分絶対値Ｄ１を生成する。同様に、差分絶対値生成部１５５２は、色差信号Ｃｒ（ｎ＋２）及びＣｒ（ｎ）の間の差分絶対値Ｄ２を生成する。また、差分絶対値生成部１５５３は、色差信号Ｃｒ（ｎ）及びＣｒ（ｎ−２）の間の差分絶対値Ｄ３を生成する。差分絶対値Ｄ１〜Ｄ３は、以下の（２）〜（４）式により表される。ところで、差分絶対値Ｄ１〜Ｄ３は、２つの色差信号間の類似度、つまり相関の大きさを表す相関パラメータの１つである。例えば、差分絶対値Ｄ１が大きいほど、色差信号Ｃｂ（ｎ＋１）及びＣｂ（ｎ−１）の類似度は小さく、相関が小さいことを意味する。
Ｄ１＝｜Ｃｂ（ｎ＋１）−Ｃｂ（ｎ−１）｜        （２）
Ｄ２＝｜Ｃｒ（ｎ＋２）−Ｃｒ（ｎ）｜            （３）
Ｄ３＝｜Ｃｒ（ｎ）−Ｃｒ（ｎ−２）｜            （４）
【００２７】
比較部１５５４は、色差信号Ｃｂ（ｎ＋１）及びＣｂ（ｎ−１）の類似度（相関）が予め定められた基準値より大きいか否かを判定する。具体的には、図３に示すように、比較部１５５４は、差分絶対値Ｄ１を予め定められた閾値Ｔｈ１と比較し、比較結果Ａを出力すればよい。例えば、差分絶対値Ｄ１が閾値Ｔｈ１より大きい場合にＡ＝１とし、差分絶対値Ｄ１が閾値Ｔｈ１以下である場合にＡ＝０とすればよい。
【００２８】
比率算出部１５５５は、差分絶対値Ｄ２及びＤ３並びに比較結果Ａを入力し、これらに基づいてパラメータＭを計算する。パラメータＭの算出手順の具体例を以下に示す。比率算出部１５５５は、比較結果Ａを参照し、色差信号Ｃｂ（ｎ＋１）及びＣｂ（ｎ−１）の類似度（相関）が予め定められた基準値より大きい場合に、パラメータＭを１／２とする。具体的には、比較結果Ａ＝０であるときに、パラメータＭを１／２とすればよい。上述した（１）式から明らかであるように、Ｍ＝１／２であるとき、補間信号Ｃｂ（ｎ）は色差信号Ｃｂ（ｎ＋１）及びＣｂ（ｎ−１）の平均値となる。
【００２９】
一方、色差信号Ｃｂ（ｎ＋１）及びＣｂ（ｎ−１）の類似度（相関）が予め定められた基準値より小さい場合、比率算出部１５５５は、パラメータＭをＤ２／（Ｄ２＋Ｄ３）とする。つまり、比率算出部１５５５は、パラメータＭを以下の（５）式により算出する。
【数４】
2010034832.tif 000004
【００３０】
つまり、比率算出部１５５５は、Ｃｒ（ｎ＋２）及びＣｒ（ｎ）の類似度（相関）に対するＣｒ（ｎ）及びＣｒ（ｎ−２）の類似度（相関）の相対的な大きさに応じて、混合比率を規定するパラメータＭを決定する。例えば、Ｃｒ（ｎ）がＣｒ（ｎ＋２）に比べてＣｒ（ｎ−２）に類似していると評価される場合に、比率算出部１５５５は、Ｃｂ（ｎ＋１）よりＣｂ（ｎ−１）の混合比率が大きくなるようパラメータＭを生成する。逆に、Ｃｒ（ｎ）がＣｒ（ｎ−２）に比べてＣｒ（ｎ＋２）に類似していると評価される場合に、比率算出部１５５５は、Ｃｂ（ｎ−１）よりＣｂ（ｎ＋１）の混合比率が大きくなるようパラメータＭを生成する。
【００３１】
上述したように、本実施の形態では、Ｃｂ（ｎ＋１）とＣｂ（ｎ−１）の類似度が所定の基準より小さいと判定される場合に、Ｃｒ（ｎ＋２）及びＣｒ（ｎ）の類似度に対するＣｒ（ｎ）及びＣｒ（ｎ−２）の類似度の相対的な大きさに応じて、Ｃｂ（ｎ＋１）とＣｂ（ｎ−１）の混合比率を決定することとした。これにより、第ｎラインの上下近傍における色調の変化を判定して補間用の色差信号Ｃｂ（ｎ）を生成することができる。
【００３２】
なお、上述した説明では、映像信号処理装置１がデジタル回路である場合について説明した。しかしながら、映像信号処理装置１の少なくとも一部は、アナログ回路として構成してもよい。
【００３３】
（参考例１）
以下では、本願の発明者によって考案された、同時変換部１５の変形例について説明する。図５に示す同時変換部２５は、線順次色差信号の同時化処理を行うものであり、図１に示した映像信号処理装置１に対して同時変換部１５と置換して適用可能である。同時変換部２５は、色復調部１４から入力される線順次色差信号を３水平期間遅延させ、合計４ラインの線順次色差信号を用いて同時化処理を行う。なお、図５において、遅延部１５１〜１５３、信号合成部１５６及び選択部１５７は、図２に示した同時変換部１５に含まれる同一符号の要素と共通とすればよい。
【００３４】
混合比率決定部２５５は、４ラインの色差信号を入力し、色差信号Ｃｂ（ｎ＋１）及びＣｂ（ｎ−１）の混合比率を規定するパラメータＭを生成する。混合比率決定部２５５の具体的な構成例と、パラメータＭの具体例について図６を参照しながら説明する。図６は、混合比率決定部２５５の構成例を示すブロック図である。
【００３５】
図５において、差分絶対値生成部１５５１及び１５５３は、図３に示した同一符号の要素と共通である。つまり、差分絶対値生成部１５５１は、色差信号Ｃｂ（ｎ＋１）及びＣｂ（ｎ−１）の差分絶対値Ｄ１を生成する。また、差分絶対値生成部１５５３は、色差信号Ｃｒ（ｎ）及びＣｒ（ｎ−２）の差分絶対値Ｄ３を生成する。
【００３６】
比較部２５５４は、色差信号Ｃｂ（ｎ＋１）及びＣｂ（ｎ−１）の類似度（相関）が予め定められた基準値より大きいか否かを判定する。具体的には、図６に示すように、比較部２５５４は、差分絶対値Ｄ１を予め定められた閾値Ｔｈ２１と比較し、比較結果Ｂ１を出力すればよい。例えば、差分絶対値Ｄ１が閾値Ｔｈ２１より大きい場合にＢ１＝１とし、差分絶対値Ｄ１が閾値Ｔｈ２１以下である場合にＢ１＝０とすればよい。
【００３７】
同様に、比較部２５５６は、色差信号Ｃｒ（ｎ）及びＣｒ（ｎ−２）の類似度（相関）が予め定められた基準値より大きいか否かを判定する。具体的には、図６に示すように、比較部２５５６は、差分絶対値Ｄ３を予め定められた閾値Ｔｈ２２と比較し、比較結果Ｂ２を出力すればよい。例えば、差分絶対値Ｄ３が閾値Ｔｈ２２より大きい場合にＢ２＝１とし、差分絶対値Ｄ３が閾値Ｔｈ２２以下である場合にＢ２＝０とすればよい。
【００３８】
図６に示す比率算出部２５５５は、比較結果Ｂ１及びＢ２を入力し、これらに基づいてパラメータＭを計算する。パラメータＭの算出手順の具体例を以下に示す。比率算出部２５５５は、比較結果Ｂ１を参照し、色差信号Ｃｂ（ｎ＋１）及びＣｂ（ｎ−１）の類似度（相関）が予め定められた基準値より大きいに場合に、パラメータＭを１／２とする。具体的には、比較結果Ｂ１＝０であるときに、パラメータＭを１／２とすればよい。上述した通り、Ｍ＝１／２であるとき、補間信号Ｃｂ（ｎ）は色差信号Ｃｂ（ｎ＋１）及びＣｂ（ｎ−１）の平均値となる。比率算出部２５５５における当該処理内容は、上述した比率算出部１５５５と共通である。
【００３９】
一方、色差信号Ｃｂ（ｎ＋１）及びＣｂ（ｎ−１）の類似度（相関）が予め定められた基準値より小さい場合、比率算出部２５５５は、比較結果Ｂ２を参照してパラメータＭを決定する。具体的には、比率算出部２５５５は、パラメータＭを以下の（６）式により算出すればよい。
【数５】
2010034832.tif 000005
【００４０】
上記の（６）式に従うと、Ｃｒ（ｎ）とＣｒ（ｎ−２）が類似していると評価される場合に、Ｃｂ（ｎ−１）の混合比率が１となり、Ｃｂ（ｎ＋１）の混合比率がゼロとなるように、比率算出部２５５５はパラメータＭを生成する。逆に、Ｃｒ（ｎ）とＣｒ（ｎ−２）が類似していないと評価される場合に、比率算出部２５５５は、Ｃｂ（ｎ−１）の混合比率がゼロとなり、Ｃｂ（ｎ＋１）の混合比率が１となるようパラメータＭを生成する。
【００４１】
（参考例２）
図７に示す混合比率決定部３５５は、図５に示した同時変換部２５に対して混合比率決定部２５５と置換して適用可能である。図７において、差分絶対値生成部１５５１及び１５５３は、図３に示した同一符号の要素と共通である。
【００４２】
比較部３５５４は、色差信号Ｃｂ（ｎ＋１）及びＣｂ（ｎ−１）の類似度（相関）が予め定められた基準値より大きいか否かを判定する。具体的には、図７に示すように、比較部３５５４は、差分絶対値Ｄ１を予め定められた閾値Ｔｈ３１と比較し、比較結果Ｅを出力すればよい。例えば、差分絶対値Ｄ１が閾値Ｔｈ３１より大きい場合にＥ＝１とし、差分絶対値Ｄ１が閾値Ｔｈ３１以下である場合にＥ＝０とすればよい。
【００４３】
差分生成部３５５６は、差分絶対値Ｄ３と予め定められた閾値Ｔｈ３２との差分（Ｄ３−Ｔｈ３２）を計算し、計算結果Ｆ１を比率算出部３５５５に供給する。ここで、閾値Ｔｈ３２は正の値とする。
【００４４】
また、差分生成部３５５７は、差分絶対値Ｄ３と予め定められた閾値Ｔｈ３３との差分（Ｔｈ３３−Ｄ３）を計算し、計算結果Ｆ２を比率算出部３５５５に供給する。ここで、閾値Ｔｈ３３は、正の値かつＴｈ３２により大きな値とする。
【００４５】
図７に示す比率算出部３５５５は、比較結果Ｅ並びに計算結果Ｆ１及びＦ２を入力し、これらに基づいてパラメータＭを計算する。パラメータＭの算出手順の具体例を以下に示す。比率算出部３５５５は、比較結果Ｅを参照し、色差信号Ｃｂ（ｎ＋１）及びＣｂ（ｎ−１）の類似度（相関）が予め定められた基準値より大きいに場合に、パラメータＭを１／２とする。具体的には、比較結果Ｅ＝０であるときに、パラメータＭを１／２とすればよい。上述した通り、Ｍ＝１／２であるとき、補間信号Ｃｂ（ｎ）は色差信号Ｃｂ（ｎ＋１）及びＣｂ（ｎ−１）の平均値となる。比率算出部３５５５における当該処理内容は、上述した比率算出部１５５５と共通である。
【００４６】
一方、色差信号Ｃｂ（ｎ＋１）及びＣｂ（ｎ−１）の類似度（相関）が予め定められた基準値より小さい場合、比率算出部３５５５は計算結果Ｆ１及びＦ２を参照してパラメータＭを決定する。具体的には、比率算出部３５５５は、パラメータＭを以下の（７）式により算出すればよい。
【数６】
2010034832.tif 000006
【００４７】
上記の（７）式に従うと、Ｃｒ（ｎ）とＣｒ（ｎ−２）が類似していると評価される場合に、Ｃｂ（ｎ−１）の混合比率が１となり、Ｃｂ（ｎ＋１）の混合比率がゼロとなるように、比率算出部３５５５はパラメータＭを生成する。逆に、Ｃｒ（ｎ）とＣｒ（ｎ−２）が類似していないと評価される場合に、比率算出部３５５５は、Ｃｂ（ｎ−１）の混合比率がゼロとなり、Ｃｂ（ｎ＋１）の混合比率が１となるようパラメータＭを生成する。
【００４８】
さらに、上記の（７）式に従うと、Ｃｒ（ｎ）とＣｒ（ｎ−２）の類似度が中程度と評価される場合に、比率算出部３５５５は、Ｃｂ（ｎ＋１）及びＣｂ（ｎ−１）が共に混合されるようにパラメータＭを生成する。
【図面の簡単な説明】
【００４９】
【図１】本発明の実施の形態１にかかる映像信号処理装置の構成を示すブロック図である。
【図２】図１に示した映像信号処理装置が有する同時変換部の構成例を示すブロック図である。
【図３】図２に示した同時変換部が有する混合比率決定部の構成例を示すブロック図である。
【図４】背景技術にかかる映像信号処理装置によって行われる、４ラインの色差信号を利用した同時化処理を説明するための図である。
【図５】同時変換部の参考例を示すブロック図である。
【図６】混合比率決定部の参考例を示すブロック図である。
【図７】混合比率決定部の参考例を示すブロック図である。
【符号の説明】
【００５０】
１  映像信号処理装置
１０  Ａ／Ｄ変換器
１１  同期処理部
１２  Ｙ／Ｃ分離部
１３  遅延回路
１４  色復調部
１５、２５  同時変換部
１６  出力処理部
１５１〜１５４  遅延回路
１５５、２５５、３５５  混合比率決定部
１５６  信号合成部
１５５１〜１５５３  差分絶対値生成部
１５５４、２５５４、２５５６、３５５４  比較部
１５５５、２５５５、３５５５  比率算出部
３５５６、３５５７  差分生成部
【図１】
2010034832.tif 000009
【図２】
2010034832.tif 000010
【図３】
2010034832.tif 000011
【図４】
2010034832.tif 000012
【図５】
2010034832.tif 000013
【図６】
2010034832.tif 000014
【図７】
2010034832.tif 000015